(57)【要約】【課題】本発明は、耐塵性能に優れたタッチパネルとそれを用いた電子機器を提供することを目的とする。【解決手段】互いに対向配置される第１および第２の透明基材を有し、第１および第２の透明基材が、額縁状に設けられる非入力領域１０ｂと、非入力領域１０ｂに囲まれるように設けられる入力領域１０ａと、入力領域１０ａに設けられる第１および第２の透明導電層とを有し、第１の透明基材と前記第２の透明基材との間に設けられるドットスペーサ７を有するタッチパネル１であって、ドットスペーサ７は、入力領域１０ａの中央部に設けられる第１のドットスペーサ７ａと、中央部の外周に設けられる第２のドットスペーサ７ｂとからなり、第２のドットスペーサ７ｂの配置されるピッチが、第１のドットスペーサ７ａの配置されるピッチより狭いことを特徴とするタッチパネル１。【選択図】図１
2014170333.tif 000002
【特許請求の範囲】
【請求項１】
互いに対向配置される第１および第２の透明基材を有し、
前記第１および第２の透明基材が、額縁状に設けられる非入力領域と、前記非入力領域に囲まれるように設けられる入力領域と、前記入力領域に設けられる第１および第２の透明導電層と、を有し、
前記第１の透明基材と前記第２の透明基材との間に設けられるドットスペーサを有するタッチパネルであって、
前記ドットスペーサは、前記入力領域の中央部に設けられる第１のドットスペーサと、前記中央部の外周に設けられる第２のドットスペーサとからなり、前記第２のドットスペーサの配置されるピッチが、前記第１のドットスペーサの配置されるピッチより狭いことを特徴とするタッチパネル。
【請求項２】
前記ドットスペーサが、前記第１および第２の透明基材の少なくとも一方の側に設けられていることを特徴とする請求項１に記載のタッチパネル。
【請求項３】
前記非入力領域に沿った方向において、前記第２のドットスペーサの配置されるピッチが、前記第１のドットスペーサの配置されるピッチに対して狭いことを特徴とする請求項１または請求項２に記載のタッチパネル。
【請求項４】
前記非入力領域から前記入力領域の方向において、前記第２のドットスペーサの配置されるピッチが、前記第１のドットスペーサの配置されるピッチに対して狭いことを特徴とする請求項１から請求項３のいずれか１項に記載のタッチパネル。
【請求項５】
請求項１から請求項４のいずれか１項に記載のタッチパネルが搭載される電子機器であって、
前記タッチパネルを収納する筐体を有し、前記筐体が、前記入力領域を外部に開放すると共に、前記非入力領域を覆うように設けられることを特徴とする電子機器。
【発明の詳細な説明】
【技術分野】
【０００１】
本発明は、タッチパネルおよびそれを用いた電子機器に係わり、特に携帯用の電子機器およびそれに用いられるタッチパネルに関する。
【背景技術】
【０００２】
近年、携帯ゲーム機、携帯電話、携帯情報端末、タブレット端末、カメラ、ビデオ撮影装置などの電子機器は、液晶表示パネルなどの表示画面を備えており、その表面をタッチペンや指などで押圧する操作により、絵柄やメニューの選択、データの入力などを行うことができるように、表示画面の表面を覆うようにタッチパネルが設けられている。
【０００３】
タッチパネルとしては、抵抗膜型のものが知られている。抵抗膜型のタッチパネルは、液晶表示パネルなどの表示画面側に例えばＩＴＯ（Ｉｎｄｉｕｍ  Ｔｉｎ  Ｏｘｉｄｅ）などの透明導電性材料からなる透明導電層を表面に形成した透光性の樹脂板またはガラス板からなる第１の透明基材と、電子機器の入力操作面側に透明導電層が形成された透光性の第２の透明基材とを有して構成されている。そして、第１の透明基材と第２の透明基材は、各透明導電層を対向させ間隔を設けて配置されている。第２の透明基材は可撓性を有しており、タッチペンや指などで押圧することにより第２の透明基材が撓んで、対向する透明導電層同士が接触する。
【０００４】
タッチペンや指などで押圧しないとき、対向する透明導電層同士を接触させないために、第１の透明基材の表面には、樹脂などからなる構造体が、一定ピッチで配置されている。具体的には、平面視直径５０μｍ程度、高さ寸法１０μｍ程度の複数のドットスペーサが配置されている。
【０００５】
第１および第２の透明基材の各外周部には、それぞれ配線層が形成されており、押圧操作されたときの透明導電層の抵抗による分圧比を、互いに直交するＸ方向とＹ方向についてそれぞれ測定することで、入力操作面における入力位置を特定することができる。このようなタッチパネルとしては、例えば特許文献１に挙げるようなものがある。
【０００６】
このように、タッチパネルは、各透明導電層が間隔を設けて対向させられる透光性の入力領域と、入力領域を囲むように入力領域の外側に配置される非入力領域とを有して構成される。また、携帯ゲーム機などの電子機器は、タッチパネルが液晶表示パネルの上に重なるように、タッチパネルと液晶表示パネルとが筐体内に収納されて構成されている。その際、筐体の開口部が、タッチパネルの入力領域に重ねて設けられ、開口部を囲む枠状の筐体部分が、タッチパネルの非入力領域を覆うように設けられる。このように、タッチパネルの入力領域は、電子機器の入力操作面として機能する。
【先行技術文献】
【特許文献】
【０００７】
【特許文献１】特開平６−３０９９９０号公報
【発明の概要】
【発明が解決しようとする課題】
【０００８】
携帯ゲーム機などの電子機器は、屋外に持ち出されて屋外や外出先で使用されることがある。このように携帯ゲーム機などの電子機器が屋外に持ち出された際には、携帯ゲーム機などの電子機器は、砂、埃などの塵埃に晒されることがある。そのため、携帯ゲーム機などの電子機器の筐体とタッチパネルの非入力領域との間に形成される隙間部に、砂、埃などの塵埃が入り込むことがある。
【０００９】
図８は、特許文献１に開示されるタッチパネルの平面透視略図である。図９は、図８に示すＣ−Ｃ線に沿って切断し矢印方向から視る断面略図である。特許文献１に開示されるタッチパネル２０１は、図８および図９に示すように、第１の透明基材２０２に一定ピッチで複数のドットスペーサ２０７が配置されている。また、タッチパネル２０１は、各透明導電層２１２、２１３が表面に形成された第１の透明基材２０２および第２の透明基材２０３を有して構成されている。第１の透明基材２０２と第２の透明基材２０３は、各透明導電層２１２、２１３を対向させ間隔を設けて配置されている。
【００１０】
図１０は、特許文献１に開示されるタッチパネルが搭載される電子機器の断面略図である。特許文献１に開示されるタッチパネル２０１が、図１０に示すように、携帯ゲーム機などの電子機器に搭載された際に、電子機器の筐体２３１のタッチパネル２０１と重なる庇部２３６と、タッチパネル２０１の非入力領域との間に形成される隙間部２３５に、砂などの塵埃２５０が入り込むことがある。ところが、タッチパネル２０１のドットスペーサ２０７は一定ピッチで配置されており、隙間部２３５に入り込んだ砂などの塵埃２５０による第２の透明基材２０３の撓みを抑制するための考慮がなされていない。そのため、携帯ゲーム機などの電子機器の筐体２３１の庇部２３６とタッチパネルの非入力領域との間に形成される隙間部２３５に入り込んだ砂などの塵埃２５０が、第２の透明基材２０３を押圧すると、第２の透明基材２０３が撓むことがある。そして、ユーザがタッチペン２６０などで、塵埃２５０の近傍で第２の透明基材２０３を押圧すると、塵埃２５０およびタッチペン２６０による第２の透明基材２０３の撓みが重なり合って、透明導電層２１２、２１３同士が接触することがある。この透明導電層２１２、２１３同士が接触する位置は、塵埃２５０とタッチペン２６０などで押圧した入力位置との中間位置となる。そのため、特許文献１に開示されるタッチパネル２０１においては、塵埃２５０とタッチペン２６０などで押圧した入力位置との中間位置が押圧されたとの誤入力が砂などの塵埃２５０により生じることがある。
【００１１】
本発明の目的は、このような課題を顧みてなされたものであり、耐塵性能に優れたタッチパネルとそれを用いた電子機器を提供することである。
【課題を解決するための手段】
【００１２】
本発明のタッチパネルは、互いに対向配置される第１および第２の透明基材を有し、前記第１および第２の透明基材が、額縁状に設けられる非入力領域と、前記非入力領域に囲まれるように設けられる入力領域と、前記入力領域に設けられる第１および第２の透明導電層とを有し、前記第１の透明基材と前記第２の透明基材との間に設けられるドットスペーサを有するタッチパネルであって、前記ドットスペーサは、前記入力領域の中央部に設けられる第１のドットスペーサと、前記中央部の外周に設けられる第２のドットスペーサとからなり、前記第２のドットスペーサの配置されるピッチが、前記第１のドットスペーサの配置されるピッチより狭いことを特徴とする。
【００１３】
非入力領域を電子機器の筐体で覆われて、電子機器に収納されるタッチパネルにおいて、非入力領域と電子機器の筐体との間に形成される隙間部に砂などの塵埃が入り込むことがある。そして、第２の透明基材が撓んだとき、第２の透明基材は、ドットスペーサを支点とする両持ちはりのように、ドットスペーサによって支持される。その際、第２のドットスペーサで支持される第２の透明基材の領域は、第２のドットスペーサのピッチが狭いので、第２の透明基材は撓むことが抑制される。そして、隙間部に入り込んだ砂などの塵埃の近傍に、すなわち入力領域の外周部に第２のドットスペーサが設けられているので、砂などの塵埃により第２の透明基材が撓むことが抑制される。そのため、砂などの塵埃により常に押圧されて意図せず入力状態が続くことを回避でき、また、ユーザがタッチペンなどで押圧した入力位置が、意図せず砂などの塵埃による撓みに影響されることはなく、正確にタッチパネルから出力される。
【００１４】
よって、本発明によれば、耐塵性能に優れたタッチパネルを提供することができる。
【００１５】
前記ドットスペーサが、前記第１および第２の透明基材の少なくとも一方の側に設けられていることが好ましい。このような態様であれば、タッチペンなどで押圧されていないとき、第１の透明導電層と第２の透明導電層が接触することがないので、誤入力を抑制することができる。
【００１６】
前記非入力領域に沿った方向において、前記第２のドットスペーサの配置されるピッチが、前記第１のドットスペーサの配置されるピッチに対して狭いことが好ましい。このような態様であれば、第１のドットスペーサが配置される入力領域を広く設けることができる。そのため、同じ押圧で入力操作が可能な範囲を広く設けることができるので、快適な入力操作が可能である。
【００１７】
前記非入力領域から前記入力領域の方向において、前記第２のドットスペーサの配置されるピッチが、前記第１のドットスペーサの配置されるピッチに対して狭いことが好ましい。
【００１８】
第２の透明基材は、額縁状の非入力領域内で支持固定されている。そのため、ユーザがタッチペンなどで押圧したとき、第２の透明基材は、非入力領域内の支持固定された箇所では撓むことはなく、ユーザがタッチペンなどで押圧した入力位置で最大に撓む。よって、押圧された入力位置と支持固定された箇所の距離が短い方向に、第２の透明基材の撓みの変化は大きい。
【００１９】
よって、ユーザがタッチペンなどで押圧したとき、前記非入力領域から前記入力領域の方向に、第２の透明基材の撓みの変化は大きい。また、隙間部に入り込んだ砂などの塵埃による第２の透明基材の大きな撓みは、砂などの塵埃の近傍にある。
【００２０】
そのため、砂などの塵埃を通り非入力領域から前記入力領域の方向に平行な直線上であって、砂などの塵埃の近傍をユーザがタッチペンなどで押圧したときに、砂などの塵埃による大きな撓みにタッチペンなどによる大きな撓みが重なり易く、第１の透明導電層と第２の透明導電層とが、入力位置と異なる箇所、すなわち砂などの塵埃とタッチペンなどで押圧した位置との中間位置で接触することがある。よって、第２のドットスペーサの配置されるピッチを、非入力領域から前記入力領域の方向に狭くすることは、第１の透明導電層と第２の透明導電層とが入力位置と異なる箇所で接触することを抑制する。
【００２１】
本発明の電子機器は、前記タッチパネルが搭載される電子機器であって、前記タッチパネルを収納する筐体を有し、前記筐体が、前記入力領域を外部に開放すると共に、前記非入力領域を覆うように設けられることを特徴とする。
【００２２】
このような態様であれば、電子機器の筐体と、電子機器の筐体に覆われた非入力領域と間に形成される隙間部に入り込んだ砂などの塵埃により、第２のドットスペーサの配置されるピッチが第１のドットスペーサの配置されるピッチより狭いので、第１の透明導電層と第２の透明導電層が接触することが抑制される。そのため、ユーザがタッチペンなどで押圧した入力位置が、正確にタッチパネルから出力される。
【００２３】
よって、本発明によれば、耐塵性能に優れた電子機器を提供することができる。
【発明の効果】
【００２４】
本発明によれば、耐塵性能に優れたタッチパネルとそれを用いた電子機器を提供することができる。
【図面の簡単な説明】
【００２５】
【図１】第１の実施形態に係わるタッチパネルの平面透視略図である。
【図２】図１に示すＡ−Ａ線に沿って切断し矢印方向から視る断面略図である。
【図３】第１の実施形態のタッチパネルが搭載される電子機器の平面略図である。
【図４】図３に示すＢ−Ｂ線に沿って切断し矢印方向から視る断面略図である。
【図５】第１の実施形態の第１の変形例であるタッチパネルの断面略図である。
【図６】第１の実施形態の第２の変形例であるタッチパネルの平面透視略図である。
【図７】第２の実施形態に係わるタッチパネルの平面透視略図である。
【図８】特許文献１に開示されるタッチパネルの平面透視略図である。
【図９】図８に示すＣ−Ｃ線に沿って切断し矢印方向から視る断面略図である。
【図１０】特許文献１に開示されるタッチパネルが搭載される電子機器の断面略図である。
【発明を実施するための形態】
【００２６】
以下、本発明の実施形態のタッチパネルと、それを用いた電子機器について図面を用いて詳細に説明する。なお、各図面の寸法は適宜変更して示している。
【００２７】
＜第１の実施形態＞
図１は、第１の実施形態に係わるタッチパネルの平面透視略図である。図２は、図１に示すＡ−Ａ線に沿って切断し矢印方向から視る断面略図である。
【００２８】
図１および図２に示す本実施形態のタッチパネル１は、抵抗膜型のタッチパネルである。図２に示すようにタッチパネル１は、第１の透明基材２と第２の透明基材３とを有して構成されている。第１の透明基材２と第２の透明基材３とは、第１の粘着層５を介して貼り合わされている。タッチパネル１は、図１に示すように、額縁状に設けられる非入力領域１０ｂと、非入力領域１０ｂに囲まれて中央側に設けられる入力領域１０ａを有している。
【００２９】
図２に示すように、第１の透明基材２の入力領域１０ａには第１の透明導電層１２が形成されており、第２の透明基材３の入力領域１０ａには第２の透明導電層１３が形成されている。第１の透明導電層１２の上に、絶縁材料からなる複数のドットスペーサ７が凸状に形成されている。このように、ドットスペーサ７は、第１の透明基材２と第２の透明基材３の間に設けられ、タッチペンなどで押圧されていないとき、第１の透明導電層１２と第２の透明導電層１３とが接触しないように設けられている。
【００３０】
第１の透明基材２の非入力領域１０ｂにおいて、入力位置情報を外部に出力するための第１の配線層２２が形成されている。また、第２の透明基材３には、同様に第２の配線層２３が形成されている。第１の配線層２２および第２の配線層２３は、図示していないフレキシブル基板に接続されており、これにより入力位置情報を外部に出力することができる。
【００３１】
図１に示すタッチパネル１は、第２の透明基材３などを透視して、第１の透明基材２の表面を視る平面透視略図である。図１に示すように、複数のドットスペーサ７が、入力領域１０ａ内に位置する第１の透明導電層１２の上に形成されている。そして、ドットスペーサ７は、入力領域１０ａの中央部に設けられる第１のドットスペーサ７ａと、前記中央部の外周に、すなわち入力領域１０ａの外周部に設けられる第２のドットスペーサとからなり、第２のドットスペーサ７ｂの配置されるピッチが、第１のドットスペーサ７ａの配置されるピッチより狭い。
【００３２】
本実施形態においては、図１に示すように、第２のドットスペーサ７ｂの配置されるピッチは、額縁状に設けられる非入力領域１０ｂに沿って、第１のドットスペーサ７ａの配置されるピッチより狭く設けられている。そして、第２のドットスペーサ７ｂは、額縁状に設けられる非入力領域１０ｂに沿って、１列で設けられている。このように、第２のドットスペーサ７ｂを、非入力領域１０ｂに沿った狭い範囲にのみ配置することで、第１のドットスペーサ７ａが配置される入力領域１０ａを広く設けることができる。その結果、同じ押圧で入力操作が可能な範囲を広く設けることができるので、快適な入力操作が可能である。
【００３３】
本実施形態においては、ドットスペーサ７の高さ寸法は、１μｍ〜２０μｍ程度であり、平面視直径は、５μｍ〜７０μｍ程度である。第１のドットスペーサ７ａの配置されるピッチは、０．８ｍｍ〜４ｍｍ程度であり、第２のドットスペーサ７ｂの配置されるピッチは、０．３ｍｍ〜０．７ｍｍ程度である。
【００３４】
本実施形態においては、ドットスペーサ７を平面視形状が円である柱状体として図示しているが、これに限定されるものではない。ドットスペーサ７は、平面視形状が楕円、矩形などの多角形である柱状体も可能である。また、ドットスペーサ７は、略半球状や略半楕円球状の構造体であることも可能である。
【００３５】
ユーザは、第２の透明基材３の表面の入力領域１０ａを押圧することにより、入力操作を行う。ユーザが、入力領域１０ａを押圧すると、第２の透明基材３が撓み、第１の透明導電層１２と第２の透明導電層１３とが接触し、電気的に導通状態になる。この導通状態を検知することで、入力操作が行われた入力位置が検知される。
【００３６】
ユーザが、タッチペンなどで第２の透明基材３の表面を押圧すると、第２の透明基材３は、撓んでドットスペーサ７に当接し、ドットスペーサ７によって支持される。その際、１対のドットスペーサ７の間に位置する第２の透明基材３は、１対のドットスペーサ７を支点とする両持ちはりのように、ドットスペーサ７によって支持される。そして、両持ちはりにおいては、１対の支点間の距離が短い方が、はりを撓ませるのに大きな力を必要とすることが知られている。そのため、ドットスペーサ７の配置されるピッチが狭く、すなわちドットスペーサ７が密集して配置される領域は、押圧する力を強くしないと、第２の透明基材３を撓ませて、第１の透明導電層１２と第２の透明導電層１３とを接触させることはできない。
【００３７】
本実施形態においては、第１の透明基材２および第２の透明基材３には、透光性の樹脂材料が用いられており、ポリカーボネート樹脂（ＰＣ）、ポリエチレンテレフタレート樹脂（ＰＥＴ）、ポリエチレンナフタレート樹脂（ＰＥＮ）、環状ポリオレフィン（ＣＯＰ）、ポリメタクリル酸メチル樹脂（ＰＭＭＡ）等の材料が用いられる。少なくとも第２の透明基材３は、入力操作を行う表面側に位置するため、可撓性を有するフィルム状の材料を用いる必要がある。第１の透明基材２には、入力操作を支持可能な程度の剛性を有する樹脂材料、あるいはガラス部材を用いることができる。
【００３８】
第１の透明導電層１２および第２の透明導電層１３は、ＩＴＯ（Ｉｎｄｉｕｍ  Ｔｉｎ  Ｏｘｉｄｅ）、ＳｎＯ２、ＺｎＯ等の透明導電材料を用いて形成されており、スパッタや蒸着等の薄膜法により形成される。第１の配線層２２および第２の配線層２３は、ＣｕやＡｇ等の良好な導電性を有する金属材料が用いられる。
【００３９】
ドットスペーサ７は、アクリル樹脂などの透光性の樹脂材料や、ホトレジストなどが用いられる。ドットスペーサ７は、アクリル樹脂などの樹脂材料を用いて、たとえばスクリーン印刷で形成することができる。
【００４０】
図３は、第１の実施形態のタッチパネルが搭載される電子機器の平面略図である。図４は、図３に示すＢ−Ｂ線に沿って切断し矢印方向から視る断面略図である。図３に示される電子機器は、携帯ゲーム機である。
【００４１】
携帯ゲーム機３０は、図３および図４に示すように、タッチパネル１が入力操作面側になるように、タッチパネル１と液晶表示パネル３２とが筐体３１内に収納されて構成されている。タッチパネル１は、タッチパネル１の入力領域１０ａが液晶表示パネル３２などの表示画面３３に重ねられ、タッチパネル１の非入力領域１０ｂが筐体３１の庇部３６に覆われるように、携帯ゲーム機３０に組み込まれている。筐体３１は、開口部３１ａを有している。そして、開口部３１ａを介して入力操作が可能なように、筐体３１の開口部３１ａは、入力領域１０ａに一致するように重ねられ、入力領域１０ａが外部に開放されている。なお、筐体３１には、開口部３１ａを囲むように庇部３６が設けられ、庇部３６の内周面に庇部内周面３１ｂが形成されている。
【００４２】
そして、非入力領域１０ｂの表面と、非入力領域１０ｂに重なる庇部３６の天井面３１ｃとが、第３の粘着層３４を介して貼り合わされている。その際、第３の粘着層３４が入力領域１０ａに露出すると、外観不良となりユーザに視認されてしまう。これを防止するために、第３の粘着層３４は、入力領域１０ａの外周に沿って、すなわち庇部内周面３１ｂに沿って、庇部内周面３１ｂと間隔を設けて、庇部内周面３１ｂよりも外側に配置されている。そのため、庇部内周面３１ｂより外側に、非入力領域１０ｂの表面と、天井面３１ｃと、第３の粘着層３４で囲まれる空洞状の隙間部３５が形成されている。
【００４３】
携帯ゲーム機、携帯電話、携帯情報端末、タブレット端末、カメラ、ビデオ撮影装置などの電子機器は、屋外に持ち出されて屋外や外出先で使用されることがある。このように電子機器が屋外に持ち出された際には、砂、埃などの塵埃に晒されることがある。特に、携帯ゲーム機などは、子供の使用機会が多く、砂場で使用されることや、お菓子を食べながら使用されることがあり、砂やお菓子の小片に晒されることがある。
【００４４】
本実施形態の携帯ゲーム機３０においては、タッチパネル１が搭載される。そして、タッチパネル１にはドットスペーサ７が形成されており、ドットスペーサ７は、入力領域１０ａの中央部に設けられる第１のドットスペーサ７ａと、前記中央部の外周に、すなわち入力領域１０ａの外周部に設けられる第２のドットスペーサとからなり、第２のドットスペーサ７ｂの配置されるピッチが、第１のドットスペーサ７ａの配置されるピッチより狭い。
【００４５】
このように、本実施形態の携帯ゲーム機３０においては、砂、埃などの塵埃が隙間部３５に入り込んで、隙間部３５に入り込んだ砂、埃などの塵埃が、タッチパネル１の表面を押圧しても、隙間部３５に沿って、その内側に配置されるピッチの狭い第２のドットスペーサ７ｂが設けられている。ドットスペーサ７の配置されるピッチが狭く、すなわちドットスペーサ７が密集して配置される領域は、押圧する力を強くしないと、第２の透明基材３を撓ませることはできない。そのため、タッチパネル１、および携帯ゲーム機３０によれば、隙間部３５に入り込んだ砂、埃などの塵埃により第２の透明基材３が撓み、第２の透明導電層１３が第１の透明導電層１２に接触することが抑制される。よって、タッチペンなどで押圧される入力位置が、入力位置情報として正確に、タッチパネル１から外部に出力される。
【００４６】
隙間部３５に入り込んだ砂、埃などの塵埃は、第２の透明基材３の剛性など弾性特性に依存して、砂、埃などの塵埃から数ｍｍ程度の箇所で第２の透明基材３を最大に撓ませる。よって、配置されるピッチの狭い第２のドットスペーサ７ｂは、砂、埃などの塵埃が入り込む隙間部３５に沿って、隙間部３５に隣接して配置することが有効である。本実施形態においては、第２のドットスペーサ７ｂは、図４に示す庇部内周面３１ｂから内側に数ｍｍ程度の範囲までに、より好ましくは０．５ｍｍ程度の範囲までに配置される。
【００４７】
よって、本実施形態によれば、耐塵性能に優れたタッチパネルとそれを用いた電子機器を提供することができる。
【００４８】
＜第１の変形例＞
図５は、第１の実施形態の第１の変形例であるタッチパネルの断面略図である。図５に示すように、本変形例においては、複数のドットスペーサ７が、第２の透明導電層１３の側に設けられおり、第２の透明導電層１３の下側（Ｚ１方向）に設けられている。このような態様であれば、タッチパネルがタッチペンなどで押圧されていないとき、第１の透明導電層１２と第２の透明導電層１３とは接触することはない。
【００４９】
＜第２の変形例＞
図６は、第１の実施形態の第２の変形例であるタッチパネルの平面透視略図である。第２のドットスペーサ７ｂは、額縁状に設けられる非入力領域１０ｂに沿って、１列で設けることに限定されるものではなく、数列わたって設けることも可能である。本変形例においては、図６に示すように、第２のドットスペーサ７ｂは、額縁状に設けられる非入力領域１０ｂに沿って、３列で設けられている。このように、数列に設けると、図４に示すように、隙間部３５に入り込んだ砂、埃などの塵埃により第２の透明基材３が撓むことが更に抑制される。よって、タッチペンなどで押圧される入力位置が、入力位置情報として更に正確に、タッチパネル１から外部に出力される。
【００５０】
＜第２の実施形態＞
図７は、第２の実施形態に係わるタッチパネルの平面透視略図である。本実施形態のタッチパネル５１は、図７に示すように、額縁状に設けられる非入力領域１０ｂと、非入力領域１０ｂに囲まれて中央側に設けられる入力領域１０ａを有している。
【００５１】
第２のドットスペーサ７ｂが、額縁状に設けられる非入力領域１０ｂに沿って、非入力領域１０ｂに隣接するように入力領域１０ａ内に設けられている。そして、第１のドットスペーサ７ａが、第２のドットスペーサ７ｂより中央側に、すなわち入力領域１０ａの中央側に設けられている。
【００５２】
図７の左右（Ｘ）方向に延出する非入力領域１０ｂに沿って設けられる第２のドットスペーサ７ｂのピッチは、左右（Ｘ）方向に直交する図７の上下（Ｙ）方向に、すなわち非入力領域１０ｂから入力領域１０ａの方向に、第１のドットスペーサ７ａのピッチより狭く設けられている。
【００５３】
図７の上下（Ｙ）方向に延出する非入力領域１０ｂに沿って設けられる第２のドットスペーサ７ｂのピッチは、上下（Ｙ）方向に直交する図７の左右（Ｘ）方向に、すなわち非入力領域１０ｂから入力領域１０ａの方向に、第１のドットスペーサ７ａのピッチより狭く設けられている。
【００５４】
本実施形態は、ドットスペーサ７の配置されるピッチの間隔以外は、第１の実施形態と同じであり、タッチパネル５１を構成する同様な構成要素に対して同じ符号を用いている。
【００５５】
第２の透明基材は、額縁状の非入力領域１０ｂ内で支持固定されている。そのため、ユーザがタッチペンなどでタッチパネルの表面を押圧したとき、第２の透明基材は、非入力領域１０ｂ内の支持固定された箇所では撓むことはなく、ユーザがタッチペンなどで押圧した入力位置で最大に撓む。よって、押圧された入力位置と支持固定された箇所の距離が短い方向に、第２の透明基材の撓みの変化は大きい。
【００５６】
よって、ユーザがタッチペンなどでタッチパネルの表面を押圧したとき、非入力領域１０ｂから入力領域１０ａの方向に、第２の透明基材の撓みの変化は大きい。また、隙間部に入り込んだ砂などの塵埃による第２の透明基材の大きな撓みは、砂などの塵埃から数ｍｍ程度の近傍にある。
【００５７】
そのため、砂などの塵埃を通り非入力領域１０ｂから入力領域１０ａの方向に平行な直線上であって、砂などの塵埃の近傍をユーザがタッチペンなどで押圧したときに、砂などの塵埃による大きな撓みにタッチペンなどによる大きな撓みが重なり易く、第１の透明導電層と第２の透明導電層とが、入力位置とは異なる箇所、すなわち砂などの塵埃とタッチペンなどで押圧した位置との中間位置で接触することがある。
【００５８】
よって、本実施形態においては、第２のドットスペーサ７ｂの配置されるピッチを、図７に示すように、第１のドットスペーサ７ａの配置されるピッチより非入力領域１０ｂから入力領域１０ａの方向に狭くしている。そのため、第２の透明基材が、砂などの塵埃により非入力領域１０ｂから入力領域１０ａの方向に撓むことを抑制される。その結果、本実施形態によれば、第１の透明導電層１２と第２の透明導電層１３とが入力位置と異なる箇所で接触することが抑制される。
【００５９】
そのため、本実施形態によれば、ユーザがタッチペンなどで押圧した入力位置を、正確に検知することが可能である。よって、本実施形態によれば、耐塵性能に優れたタッチパネルとそれを用いた電子機器を提供することができる。
【符号の説明】
【００６０】
１  タッチパネル
２  第１の透明基材
３  第２の透明基材
４  加飾基材
４ａ  加飾層
５  第１の粘着層
６  第２の粘着層
７  ドットスペーサ
７ａ  第１のドットスペーサ
７ｂ  第２のドットスペーサ
１０ａ  入力領域
１０ｂ  非入力領域
１２  第１の透明導電層
１３  第２の透明導電層
２２  第１の配線層
２３  第２の配線層
３０  携帯ゲーム機
３１  筐体
３１ａ  開口部
３１ｂ  開口外周面
３１ｃ  天井面
３２  液晶表示パネル
３３  表示画面
３４  第３の粘着層
３５  隙間部
【図１】
2014170333.tif 000003
【図２】
2014170333.tif 000004
【図３】
2014170333.tif 000005
【図４】
2014170333.tif 000006
【図５】
2014170333.tif 000007
【図６】
2014170333.tif 000008
【図７】
2014170333.tif 000009
【図８】
2014170333.tif 000010
【図９】
2014170333.tif 000011
【図１０】
2014170333.tif 000012